(57)【要約】【課題】  排紙動作中に積載された出力紙確認が行え、かつ出力済の用紙についても一旦取り出さずに確認を行えて、排紙部における紙詰まりや整合不良、或いは出力用紙の誤持ち出し等を防止する画像形成装置。【解決手段】  排紙された用紙が積載される排紙部を備えた画像形成装置において、排紙積載面の上方かつ用紙搬送範囲外に反射鏡を設け、裏面排紙された用紙の角部をめくって見ることで出力用紙の内容の判別を可能にした。【選択図】  図１
2011037614.tif 000002
【特許請求の範囲】
【請求項１】
排紙された用紙が積載される排紙部を備えた画像形成装置において、排紙積載面の上方かつ用紙搬送範囲外に反射部材を有し、該反射部材は排紙部の用紙搬送方向の下流側に設けられていることを特徴とする画像形成装置。
【請求項２】
排紙された用紙が積載される排紙部を備えた画像形成装置において、排紙積載面に対向する天面に突起部材を設け、排出された用紙の一部を該突起部材で保持することを特徴とする請求項１記載の画像形成装置。
【請求項３】
排紙された用紙が積載される排紙部を備えた画像形成装置において、出力用紙の角部に識別手段を印刷することを特徴とする請求項１記載の画像形成装置。
【請求項４】
排紙された用紙が積載される排紙部を画像読取部と画像形成部の間に設けた胴内排紙型の画像形成装置において、排紙積載面の上方かつ用紙搬送範囲外に反射部材を有し、該反射部材は排紙部の用紙搬送方向の下流側に設けられていることを特徴とする画像形成装置。
【発明の詳細な説明】
【技術分野】
【０００１】
本発明は、排紙中の用紙に形成された画像を確認できる画像形成装置に関するものである。
【背景技術】
【０００２】
まず、図６を用いて従来例を説明する。図４のように胴内排紙型の画像形成装置１０で裏面排紙された出力紙の印刷面の確認は、主に以下の２通りの方法で行っていた。
【０００３】
まず、排紙動作終了後に、排出された用紙束３を画像形成装置の外に出して（画像形成装置本体へ取り出した用紙束１５）、操作者が用紙をさばいたり、裏返す等の動作で出力紙の印刷面の確認を行った後、矢印１７（用紙束の画像形成装置本体への戻し方向）の向きに画像形成装置本体へ取り出した用紙束１５を画像形成装置本体１０内に戻していた。
【０００４】
他の方法では、用紙束３を画像形成装置本体１０内に残したまま取り出して（画像形成装置本体から取り出す途中の用紙束１６）、同様に操作者が用紙をさばいたり、裏返す等の動作で確認を行った後、矢印１７の向きに用紙束１６を画像形成装置本体内に戻していた。
【０００５】
また、特開２００５−２１５２２２（特許文献１）においては、排紙口下部に反射鏡を設けて、排紙動作中の用紙の印刷面の確認ができることを提案している。
【先行技術文献】
【特許文献】
【０００６】
【特許文献１】特開２００５−２１５２２２号公報
【発明の開示】
【発明が解決しようとする課題】
【０００７】
しかしながら、上述した従来例では以下に述べるような問題点があった。
【０００８】
まず図６の場合は、一旦用紙束を取り出した上で戻していたため、例えばきちんと整合しない状態で用紙束を排紙部に戻すと、新たに排紙される用紙によって用紙束が押し出され、排紙部の用紙がバラバラな状態になってしまい、排紙部における紙詰まりや整合不良等が発生していた。
【０００９】
また、特開２００５−２１５２２２のケースでは、排紙動作中の用紙の印刷面の確認を行うものであるために、既に排紙済みの用紙について確認を行うには、上述の図６の場合と同様に一旦用紙束を取り出して確認しなくてはならないとか、排紙動作中に画像形成装置の側に操作者が待機していなくてはならない等の問題があった。
【００１０】
更に両従来例に共通する問題点として、一旦用紙束を取り出し、自分の出力紙を抜き取る際に誤って他人の出力紙を持ち去ってしまうミスが発生し易く、セキュリティの観点からも好ましくない事態を引き起こしていた。
【課題を解決するための手段】
【００１１】
前記従来例の問題点を改善するために本発明の画像形成装置では、排紙された用紙が積載される排紙部を備えた画像形成装置において、排紙積載面の上方かつ用紙搬送範囲外に反射部材を有し、該反射部材は排紙部の用紙搬送方向の下流側に設けられていることを特徴とする。
【発明の効果】
【００１２】
本発明による画像形成装置によれば、排紙動作中に積載された出力紙確認が行え、かつ出力済の用紙についても一旦取り出さずに確認を行える。従って、排紙部における紙詰まりや整合不良、或いは出力用紙の誤持ち出し等を防止できるといった効果が得られる。
【図面の簡単な説明】
【００１３】
【図１】本発明の第１実施例を実施した画像形成装置の図
【図２】本発明の第２実施例を実施した画像形成装置の図
【図３】本発明の第３実施例を実施した画像形成装置の図
【図４】本発明の第４実施例を実施した画像形成装置の図
【図５】本発明の第５実施例を実施した画像形成装置の図
【図６】従来例を示した図
【発明を実施するための形態】
【００１４】
本発明によれば、上述の効果に加えて簡易構成かつ低コストで実施可能であることが挙げられる。なぜなら排紙積載面の上方かつ用紙搬送範囲外に反射部材を装着するだけなのでスペースは殆ど必要なく、また反射部材裏面に接着部材（シール）等を付けることで、操作者の好みの場所に貼り付け可能にできる。例えば、操作者の利き手に応じて対応可能という利点を持つ。（本発明では図１において、右利き用に左方に反射鏡１を設けたが、左利きの場合は右方に反射鏡１を設ければ良い。）
本発明の第１の実施例について詳述する。図１において１は反射鏡、２は排紙積載面、３は排紙された用紙束、４は排紙方向を示す矢印、５はめくられた用紙面、６は排紙された用紙をめくる方向を示す矢印、７は画像読取部、８は画像形成部、９は操作部、１０は画像形成装置本体、１１は次に排紙される用紙（破線で表示）、１２は操作者を示す。
【００１５】
本実施例の画像形成装置本体１０は、画像読取部７と画像形成部８の間に排紙部が設けられており、排紙積載面２上に用紙が排出される所謂「胴内排紙型」の画像形成装置である。ここで、裏面排紙された用紙は排紙積載面２上に次々と積載され、排紙された用紙束３となる。ここで操作者１２が用紙束３の中から所要の出力用紙を抜き取る場合に、用紙面の角部をめくり上げ、めくられた用紙面５を反射鏡１に映すことによって、用紙面の内容を確認することができる。又、本発明では、次に排紙される用紙１１が積載される最中であっても上述同様に角部をめくることで用紙面の内容を確認することができる。
【００１６】
次に本発明の第２の実施例を図２を用いて説明する。図１の画像形成装置本体１０では操作者１２が用紙排紙方向４に対して直角方向であったが、図２の画像形成装置本体１０では操作者１２は用紙排紙方向４に対して平行方向である。このような構成の画像形成装置の場合でも第１の実施例同様に反射鏡１を設けて、排紙された用紙束３の角部をめくり上げて反射鏡１に映すことにより用紙面の内容を確認することができ、上記第１実施例同様の効果が得られる。
【００１７】
更に本発明の第３の実施例を図３を用いて説明する。図３において、１３は排紙積載面２に対向する天面に設けられた突起部である。この突起部１３はめくり上げた用紙の角部を一時的に保持するために用いる。操作者は排出された用紙を一時的に突起部１３に保持することで、所要の用紙が取り易くなる。また、複数の突起部１３を設けることで、排出された用紙を分類して保持できるので、抜き取り間違い等を容易に防止することができる。
【００１８】
本発明の第４の実施例を図４を用いて説明する。図４において、１４は排紙された用紙端部に印刷された記号である。このように、記号１４の印刷設定をプリンタドライバ上で行い、用紙端部に記号や文字等を印刷するのが本実施例である。効果として例えば、担当者別に個別の記号をあてがうことで、用紙面の角部をめくり上げた時に素早く自分の排出用紙を探し出すことができる。また、画像形成装置がカラー機の場合は記号や文字等に特定の色を当てることで出力用紙の判別性が向上するのは言うまでもない。
【００１９】
本発明の第５の実施例を図５を用いて説明する。上記実施例では全て、画像読取部７と画像形成部８の間に排紙部が設けられており、排紙積載面２上に用紙が排出される所謂「胴内排紙型」の画像形成装置であったが、本実施例は画像読取部を持たない画像形成装置である。画像読取部を持たないので画像形成装置上方にスペースがあり、排紙された用紙束３がよりめくり易い構成になっている。上記実施例と同様に排紙された用紙束３の角部をめくり上げて反射鏡１に映すことで用紙面の内容を容易に確認できることは同様である。
【産業上の利用可能性】
【００２０】
本発明は、電子写真方式で記録媒体上に画像を形成する複写機やプリンタ等の画像形成装置に利用できるものである。
【符号の説明】
【００２１】
１  反射鏡
２  排紙積載面
３  排紙された用紙束
４  排紙方向を示す矢印
５  めくられた用紙面
６  排紙された用紙をめくる方向を示す矢印
７  画像読取部
８  画像形成部
９  操作部
１０  画像形成装置本体
１１  次に排紙される用紙
１２  操作者
１３  突起部
１４  排紙された用紙端部に印刷された記号
１５  画像形成装置本体へ取り出した用紙束
１６  画像形成装置本体から取り出す途中の用紙束
１７  用紙束の画像形成装置本体への戻し方向
【図１】
2011037614.tif 000003
【図２】
2011037614.tif 000004
【図３】
2011037614.tif 000005
【図４】
2011037614.tif 000006
【図５】
2011037614.tif 000007
【図６】
2011037614.tif 000008